(57)【要約】【課題】自機のプリンタ部が他のジョブ処理により占有されていても、ユーザが意図するネットワーク上のプリンタ部を利用して、あるいは、即座に出力可能なネットワーク上のプリンタ部を利用してコピー機能処理を実現することである。【解決手段】リーダ部により読み取られた画像データをプリンタ部で印刷するコピー機能処理要求時に、前記プリンタ部が使用可能でないと判断した場合に、代替プリント可能な外部画像処理装置候補を選択し、該選択された外部画像処理装置候補に対して、前記リーダ部により読み取られた画像データを送信する構成を特徴とする。【選択図】      図１３
2004159162.tif 000002
【特許請求の範囲】
【請求項１】
原稿画像を読み取るリーダ部と、前記リーダ部により読み取られた画像データを印刷するプリンタ部とを備え、ネットワークを介してプリント機能処理を実行可能な複数の外部画像処理装置と通信可能な画像処理装置であって、
前記リーダ部により読み取られた画像データを前記プリンタ部で印刷するコピー機能処理要求時に、前記プリンタ部が使用可能かどうかを判断する判断手段と、
前記判断手段により前記プリンタ部が使用可能でないと判断した場合に、代替プリント可能な外部画像処理装置候補を選択する選択手段と、
前記選択手段により選択された外部画像処理装置候補に対して、前記リーダ部により読み取られた画像データを送信する制御手段と、
を有することを特徴とする画像処理装置。
【発明の詳細な説明】
【０００１】
【発明の属する技術分野】
本発明は、原稿画像を読み取るリーダ部と、前記リーダ部により読み取られた画像データを印刷するプリンタ部とを備え、ネットワークを介してプリント機能処理を実行可能な複数の外部画像処理装置と通信可能な画像処理装置の制御に関するものである。
【０００２】
【従来の技術】
従来、リーダ部とプリンタ部とが通信してコピー機能処理，スキャナ機能処理，ファクシミリ通信機能処理，プリント機能処理を備えて、例えばネットワーク上の複数のユーザからのプリント機能要求やファクシミリ機能要求に応える複合画像処理装置が開発されている。
【０００３】
【発明が解決しようとする課題】
そして、上記画像処理装置をネットワーク上に複数通信可能に接続して、画像処理システムを構築できるように構成されている。
【０００４】
この場合において、例えばユーザが複合画像処理装置本体において、通常のコピー機能処理動作（複写動作）を行おうとした際に、リーダ部が使用可能状態（スタンバイ状態）であっても、ネットワーク上のホストコンピュータからのプリント要求処理を行っている場合には、つまり、プリンタ部がジョブ実行中である場合、リーダ部を使用して複写動作に入ることができないという弊害が発生していた。
【０００５】
本発明は、上記の問題点を解決するためになされたもので、本発明の目的は、原稿画像を読み取るリーダ部と、前記リーダ部により読み取られた画像データを印刷するプリンタ部とを備え、ネットワークを介してプリント機能処理を実行可能な複数の外部画像処理装置と通信可能な画像処理装置において、前記リーダ部により読み取られた画像データを前記プリンタ部で印刷するコピー機能処理要求時に、前記プリンタ部が使用可能でないと判断した場合に、代替プリント可能な外部画像処理装置候補を選択し、該選択された外部画像処理装置候補に対して、前記リーダ部により読み取られた画像データを送信することにより、自機のプリンタ部が他のジョブ処理により占有されていても、ユーザが意図するネットワーク上のプリンタ部を利用して、あるいは、即座に出力可能なネットワーク上のプリンタ部を利用してコピー機能処理を実現できる利便性に優れた画像処理環境を自在に整備することができる画像処理装置を提供することである。
【０００６】
【課題を解決するための手段】
上記目的を達成する本発明の画像処理装置は以下に示す構成を備える。
【０００７】
本発明は、原稿画像を読み取るリーダ部（図２に示すスキャナ部２０１に相当）と、前記リーダ部により読み取られた画像データを印刷するプリンタ部（図２に示すプリンタ部２０８に相当）とを備え、ネットワークを介してプリント機能処理を実行可能な複数の外部画像処理装置と通信可能な画像処理装置であって、前記リーダ部により読み取られた画像データを前記プリンタ部で印刷するコピー機能処理要求時に、前記プリンタ部が使用可能かどうかを判断する判断手段と、前記判断手段により前記プリンタ部が使用可能でないと判断した場合に、代替プリント可能な外部画像処理装置候補を選択する選択手段（図２に示すコア部２０６に相当）と、前記選択手段により選択された外部画像処理装置候補に対して、前記リーダ部により読み取られた画像データを送信する制御手段とを有することを特徴とする。
【０００８】
【発明の実施の形態】
〔第１実施形態〕
図１は、本発明の第１実施形態を示す画像処理装置を適用可能な画像処理システムの構成を説明するブロック図であり、リーダ部とプリンタ部とが通信して画像処理を行うＭＦＰが複数ネットワークを介してホストコンピュータと通信可能な画像処理システムに対応する。
【０００９】
図１において、ネットワーク１０１に接続されたコンピュータ１０２はサーバとして機能し、コンピュータ１０３ａとコンピュータ１０３ｂはクライアントとして機能する。なお、図示されていないがクライアントはこれらのほかにも多数接続されている。以下クライアントを代表して、コンピュータ１０３と表記する場合がある。
【００１０】
更にネットワーク１０１には、ＭＦＰ（Ｍｕｌｔｉ  Ｆｕｎｃｔｉｏｎ  ｐｅｒｉｐｈｅｒａｌ：マルチファンクション周辺機器）１０４ａ、１０４ｂ，１０４ｃ，１０４ｄが接続されている。ＭＦＰ１０４ａ、１０４ｂ，１０４ｃ，１０４ｄはフルカラーでスキャン、プリントなどが可能なカラー４ドラムＭＦＰで構成されているものとする。なお、以下ＭＦＰを代表ＭＦＰ１０４と表記する。
【００１１】
１０５はプリンタで、ネットワーク１０１に接続された１ドラムカラーレーザビームプリンタ（ＬＢＰ）である。
【００１２】
また、図示していないがネットワーク１０１上にはＭＦＰを初め、スキャナ、プリンタあるいは、ＦＡＸなどのその他の機器も接続されている。
【００１３】
ここでコンピュータ１０３上では、いわゆるＤＴＰ（Ｄｅｓｋ  Ｔｏｐ  Ｐｕｂｌｉｓｈｉｎｇ：デスクトップパブリッシング）を実行するアプリケーションソフトウェアを動作させ、各種文書処理、図形作成処理、およびその編集処理が実行される。コンピュータ１０３は作成された文書／図形をＰＤＬ（Ｐａｇｅ  Ｄｅｓｃｒｉｐｔｉｏｎ  Ｌａｎｇｕａｇｅ：ページ記述言語）に変換し、ネットワーク１０１を介してＭＦＰ１０４、ＬＢＰ１０５に送られてプリントアウトされる。
【００１４】
ＭＦＰ１０４、ＬＢＰ１０５は、それぞれコンピュータ１０２、１０３とネットワーク１０１を介して情報交換できる通信手段を有しており、ＭＦＰ１０４、ＬＢＰ１０５の情報や状態をコンピュータ１０２、１０３側に逐次知らせる仕組みとなっている。更に、コンピュータ１０２、１０３は、その情報を受けて動作するユーティリティソフトウェアを持っており、ＭＦＰ１０４、ＬＢＰ１０５はコンピュータ１０２、１０３により管理される。
【００１５】
〔ＭＦＰ１０４の構成〕
次に、図２を用いてＭＦＰ１０４の構成について説明する。
【００１６】
図２は、図１に示したＭＦＰ１０４の画像処理構成を説明するブロック図である。
【００１７】
図２において、ＭＦＰ１０４は、画像読み取りを行うスキャナ部２０１とその画像データを画像処理するＩＰ部２０２、ファクシミリなどに代表される電話回線を利用した画像の送受信を行うＦＡＸ部２０３、更に、ネットワークを利用して画像データや装置情報をやり取りするＮＩＣ（Ｎｅｔｗｏｒｋ  Ｉｎｔｅｒｆａｃｅ  Ｃａｒｄ）部２０４、コンピュータ１０３から送られてきたページ記述言語（ＰＤＬ）を画像信号に展開するＰＤＬ部２０５を有する。そして、ＭＦＰ１０４の使い方に応じてコア部２０６で画像信号を一時保存したり、経路を決定したりする。
【００１８】
次に、コア部２０６から出力された画像データは、画像形成を行うプリンタ部２０８に送られる。２０７はＰＷＭ部である。プリンタ部２０８でプリントアウトされたシートはフィニッシャ部２０９へ送り込まれ、シートの仕分け処理やシートの仕上げ処理が行われる。
【００１９】
また、ディスプレイ部２１０は、画像をプリントせずに画像の内容を確認したり、プリントしたりする前に画像の様子を確認する（プレビュー）ために用いられる。
【００２０】
〔スキャナ部２０１の構成〕
図３を用いてスキャナ部２０１の構成を説明する。
【００２１】
図３は、図２に示したスキャナ部２０１を構成する概略断面図である。
【００２２】
図３において、３０１は原稿台ガラスであり、読み取られるべき原稿３０２が置かれる。原稿３０２は照明ランプ３０３により照射され、その反射光はミラー３０４、３０５、３０６を経て、レンズ３０７によりＣＣＤセンサ（以下、単にＣＣＤという）３０８上に結像される。ミラー３０４、照明ランプ３０３を含む第１ミラーユニット３１０はミラー３０４は速度Ｖで移動し、ミラー３０５、３０６を含む第２ミラーユニット３１１は速度１／２Ｖで移動することにより、原稿３０２の全面を走査する。第１ミラーユニット３１０及び第２ミラーユニット３１１はモータ３０９により駆動される。
【００２３】
〔画像処理部２０２の構成〕
図４を用いてＩＰ部（画像処理部）２０２について説明する。
【００２４】
図４は、図２に示したＩＰ部（画像処理部）２０２のデータ処理構成を説明するブロック図であり、図２と同一のものには同一の符号を付してある。
【００２５】
図４において、入力された光学的信号は、ＣＣＤ３０８により電気信号に変換される。このＣＣＤ３０８はＲＧＢ３ラインのカラーセンサであり、ＲＧＢそれぞれの画像信号としてＡ／Ｄコンバータ４０１で、各色信号毎に８ｂｉｔのデジタル画像信号ＲＯ，ＧＯ，ＢＯに変換される。
【００２６】
その後、シェーディング補正部４０２で色ごとに、基準白色版の読み取り信号を用いた、シェーディング補正が施される。更に、ＣＣＤ３０８の各色ラインセンサは、相互に所定の距離を隔てて配置されているためラインディレイ調整回路（ライン補間部）４０３において、副走査方向の空間的ずれが補正される。
【００２７】
次に、入力マスキング部４０４はＣＣＤ３０８のＲ，Ｇ，Ｂフィルタの分光特性で決まる読取色空間を、ＮＴＳＣの標準色空間に変換する部分であり、ＣＣＤ３０８の感度特性／照明ランプのスペクトル特性等の諸特性を考慮した装置固有の定数を用いた３×３のマトリックス演算を行い、入力された（ＲＯ，ＧＯ，ＢＯ）信号を標準的な（Ｒ，Ｇ，Ｂ）信号に変換する。
【００２８】
更に、輝度／濃度変換部（ＬＯＧ変換部）４０５はルックアップテーブル（ＬＵＴ）ＲＡＭにより構成され、ＲＧＢの輝度信号がＣ１，Ｍ１，Ｙ１の濃度信号になるように変換される。
【００２９】
４０６は出力マスキング／ＵＣＲ回路（出力マスキング／ＵＣＲ部）であり、Ｃ１，Ｍ１，Ｙ１信号を画像形成装置のトナー色であるＣ，Ｍ，Ｙ，Ｋ信号に補正して出力する。
【００３０】
次に、ガンマ補正部４０７にて、トナーの色味諸特性を考慮したルックアップテーブル（ＬＵＴ）ＲＡＭを使って画像出力のためのＣ，Ｍ，Ｙ，Ｋデータに変換され、空間フィルタ４０８にて、エッジ強調または、スムージングが施された後、画像信号はコア部２０６へと送られる。
【００３１】
〔ＮＩＣ部２０４の構成〕
図５を用いてＮＩＣ部２０４について説明する。
【００３２】
図５は図２に示したＮＩＣ部２０４の詳細構成を説明するブロック図であり、図２と同一のものには同一の符号を付してある。
【００３３】
図５において、ネットワーク１０１に対してのインターフェイスの機能を持つのが、このＮＩＣ部２０４であり、例えば１０Ｂａｓａ−Ｔ／１００Ｂａｓｅ−ＴＸなどのＥｔｈｅｒｎｅｔ（登録商標）ケーブルなどを利用して外部からの情報を入手したり、外部へ情報を流したりする役割を果たす。
【００３４】
外部より情報を入手する場合は、まず、トランス部６０１で電圧変換され、ＬＡＮコントローラ部６０２に送られる。ＬＡＮコントローラ部６０２は、その内部に第１バッファメモリ（不図示）を持っており、その情報が必要な情報か否かを判断した上で、第２バッファメモリ（不図示）に送った後、ＰＤＬ部２０５に信号を流す。
【００３５】
次に、外部に情報を提供する場合には、ＰＤＬ部２０５より送られてきたデータは、ＬＡＮコントローラ部６０２で必要な情報を付加して、トランス部６０１を経由してネットワーク１０１に接続される。
【００３６】
〔ＰＤＬ部２０５の構成〕
次に、図５を用いてＰＤＬ部２０５の構成を説明する。
【００３７】
コンピュータ１０３上で動作するアプリケーションソフトウェアによって作成された画像データは、文書、図形、写真等から構成されており、それぞれは、文字コード、図形コード、及びラスタ画像データなどによる画像記述の要素の組み合わせから成っている。これが、いわゆるＰＤＬ（Ｐａｇｅ  Ｄｅｓｃｒｉｐｔｉｏｎ  Ｌａｎｇｕａｇｅ：ページ記述言語）であり、Ａｄｏｂｅ社のＰｏｓｔＳｃｒｉｐｔ（登録商品）言語に代表されるものである。
【００３８】
ＰＤＬ部２０５では、上記ＰＤＬデータからラスタ画像データへの変換処理を行う。まずＮＩＣ部２０４から送られてきたＰＤＬデータは、ＣＰＵ６０３を経由して一度ハードディスク（ＨＤＤ）のような大容量メモリ６０４に格納され、ここで各ジョブ毎に管理、保存される。次に、必要に応じて、ＣＰＵ６０３は、ＲＩＰ（Ｒａｓｔｅｒ  Ｉｍａｇｅ  Ｐｒｏｃｅｓｓｉｎｇ）と呼ばれるラスタ化画像処理を行って、ＰＤＬデータをラスタイメージに展開する。展開されたラスタイメージデータは、ＣＭＹＫの色成分毎ＤＲＡＭなどの高速アクセス可能なメモリ６０５にジョブ毎にページ単位で格納され、プリンタ部２０８の状況に合わせて、再びＣＰＵ６０３を介して、コア部２０６へ送られる。
【００３９】
リーダ部で読み取られＣＭＹＫデータに変換された画像信号を、プリンタ部へすぐに送ることができない場合、ここのメモリ６０４に一旦記憶されるよう、コア部２０６で制御される。
【００４０】
〔コア部２０６の構成〕
図６を用いてコア部２０６について説明する。
【００４１】
図６は、図２に示したコア部２０６の詳細構成を説明するブロック図であり、図２と同一のものには同一の符号を付してある。
【００４２】
図６において、コア部２０６のバスセレクタ部７０１は、ＭＦＰ１０４、ＬＢＰ１０５の利用における、いわば交通整理の役割を担っている。すなわち、複写機能、ネットワークスキャン、ネットワークプリンタ、ファクシミリ送信／受信、あるいは、ディスプレイ表示などＭＦＰ１０４、ＬＢＰ１０５における各種機能に応じてバスの切り替えを行うところである。
【００４３】
以下に各機能を実行するためのバスの切り替えのパターンを示す。
【００４４】
複写機能実行時には、スキャナ部２０１→コア部２０６→プリンタ部２０８とバスを切り替え、ネットワークスキャン機能実行時には、スキャナ部２０１→コア部２０６→ＮＩＣ部２０４とバスを切り替え、ネットワークプリンタ機能実行時には、ＮＩＣ部２０４→コア部２０６→プリンタ部２０８とバスを切り替え、ファクシミリ送信機能実行時には、スキャナ部２０１→コア部２０６→ＦＡＸ部２０３とバスを切り替え、ファクシミリ受信機能実行時には、ＦＡＸ部２０３→コア部２０６→プリンタ部２０８とバスを切り替え、ディスプレイ表示機能実行時には、スキャナ部２０１又はＦＡＸ部２０３又はＮＩＣ部２０４→コア部２０６→ディスプレイ部２１０とバスを切り替える。
【００４５】
次に、バスセレクタ部７０１を出た画像データは、圧縮部７０２、ハードディスク（ＨＤＤ）などの大容量メモリからなるメモリ部７０３、及び伸長部７０４を介してプリンタ部２０８（ＰＷＭ部２０７）又はディスプレイ部２１０へ送られる。圧縮部７０２で用いられる圧縮方式は、ＪＰＥＧ、ＪＢＩＧ，ＺＩＰなど一般的なものを用いればよい。圧縮された画像データは、ジョブ毎に管理され、ファイル名、作成者、作成日時、ファイルサイズなどの付加データと一緒に格納される。
【００４６】
更に、ジョブの番号とパスワードを設けて、それらも一緒に格納すれば、パーソナルボックス機能をサポートすることができる。これは、データの一時保存や特定の人にしかプリントアウト（ＨＤＤからの読み出し）ができない様にするたの機能である。記憶されているジョブのプリントアウトの指示が行われた場合には、パスワードによる認証を行った後にメモリ部７０３より呼び出し、画像伸長を行ってラスタイメージに戻してプリンタ部２０７に送ることもできる。
【００４７】
〔ＰＷＭ部２０７の構成〕
図７によりＰＷＭ部２０７の説明をする。
【００４８】
図７は、図２に示したＰＷＭ部２０７の詳細構成を説明する図であり、コア部２０６を出たイエロー（Ｙ）、マゼンダ（Ｍ）、シアン（Ｃ）、ブラック（Ｋ）の４色に色分解された多値画像データは、それぞれのＰＷＭ部２０７を通って画像形成される。
【００４９】
図７の（ａ）において、８０１は三角波発生部で、所定周波数の三角波を発生する。８０２はＤ／Ａコンバータ（Ｄ／Ａ変換部）で、入力されるデジタル画像信号をアナログ信号に変換する。三角波発生部８０１からの信号（図７の（ｂ）の信号ａ）及びＤ／Ａコンバータ８０２からの信号（図７の（ｂ）の信号ｂ）は、コンパレータ８０３で大小比較されて、図７の（ｂ）に示すような信号ｃとなってレーザ駆動部８０４に送られ、ＣＭＹＫそれぞれが、ＣＭＹＫそれぞれのレーザ発振器８０５でレーザビームに変換される。
【００５０】
そして、ポリゴンスキャナ９１３で、それぞれのレーザビームを走査して、それぞれの感光ドラム９１７、９２１、９２５、９２９に照射される。
【００５１】
〔ＭＦＰ１０４のプリンタ部２０８の構成〕
図８は、図１に示したＭＰＦ１０４ａから１０４ｄの構成を説明する断面図であり、例えば４ドラムタイプカラープリンタ部の概要を示す。
【００５２】
図８において、９１３は、ポリゴンミラーであり、４つの半導体レーザ発振器８０５より発光された４本のレーザ光を受ける。その内の１本はミラー９１４、９１５、９１６をへて感光ドラム９１７を走査し、次の１本はミラー９１８、９１９、９２０をへて感光ドラム９２１を走査し、次の１本はミラー９２２、９２３、９２４をへて感光ドラム９２５を走査し、次の１本はミラー９２６、９２７、９２８をへて感光ドラム９２９を走査する。
【００５３】
一方、９３０はイエロー（Ｙ）のトナーを供給する現像器であり、レーザ光に従い、感光ドラム９１７上にイエローのトナー像を形成し、９３１はマゼンタ（Ｍ）のトナーを供給する現像器であり、レーザ光に従い、感光ドラム９２１上にマゼンタのトナー像を形成し、９３２はシアン（Ｃ）のトナーを供給する現像器であり、レーザ光に従い、感光ドラム９２５上にシアンのトナー像を形成し、９３３はブラック（Ｋ）のトナーを供給する現像器であり、レーザ光に従い、感光ドラム９２９上にブラックのトナー像を形成する。以上４色（Ｙ，Ｍ，Ｃ，Ｋ）のトナー像がシートに転写され、フルカラーの出力画像を得ることができる。
【００５４】
シートカセット９３４、９３５および、手差しトレイ９３６のいずれかより供給されたシートは、レジストローラ９３７をへて、転写ベルト９３８上に吸着され、搬送される。給紙のタイミングと同期がとられて、予め感光ドラム９１７、９２１、９２５、９２９には各色のトナーが現像されており、シートの搬送とともに、トナーがシートに転写される。各色のトナーが転写されたシートは、分離され、搬送ベルト９３９により搬送され、定着器９４０によって、トナーがシートに定着される。
【００５５】
定着器９４０を抜けたシートはフラッパ９５０によりいったん下方向へ導かれてシートの後端がフラッパ９５０を抜けた後、スイッチバックさせて排出する。これによりフェイスダウン状態で排出され、先頭頁から順にプリントしたときに正しい順となる。
【００５６】
なお、４つの感光ドラム９１７、９２１、９２５、９２９は、距離ｄをおいて、等間隔に配置されており、搬送ベルト９３９により、シートは一定速度Ｖで搬送されており、このタイミングで同期がなされて、４つの半導体レーザ８０５は駆動される。
【００５７】
図９は、図１に示したＭＦＰ１０４のプリンタ部のデータ処理機構を説明するブロック図であり、図２と同一のものには同一の符号を付してある。
【００５８】
図９において、印刷ジョブがネットワークを介してＮＩＣ部２０４で受信され、ＰＤＬ部２０５で印刷ジョブを解析した後、ＰＷＭ部２０７でパルス幅変調された後、プリンタ部２０８に画像信号として出力されることにより、印刷処理が実行される。
【００５９】
〔ディスプレイ部２１０の構成〕
図１０は、図２に示したディスプレイ部２１０のデータ表示制御機構を説明する図である。
【００６０】
図１０において、コア部２０６より出力された画像信号は、ＣＭＹＫデータであるため、逆ＬＯＧ変換部１００１でＲＧＢデータに変換する必要がある。次に、出力されるＣＲＴなどのディスプレイ装置１００４の色の特性に合わせるためにガンマ変換部１００２でルックアップテーブルを使用して出力変換を行う。変換された画像データは、一度メモリ部１００３に格納されて、ＣＲＴなどのディスプレイ装置１００４によって表示させる。
【００６１】
ここで、ディスプレイ部２１０を使用するのは、出力画像を予め確認するプレビュー機能や出力する画像が意図したものと間違いないか検証するプルーフ機能、あるいは、プリントの必要がないかを確認するな場合にプリントシートの無駄を省く為である。
【００６２】
〔フィニッシャ部２０９の構成〕
図１１は、図２に示したフィニッシャ部２０９の構成を説明する概観図である。
【００６３】
図１１において、プリンタ部２０８の定着部９４０（または９７９）を出たシートは、フィニッシャ部２０９に入る。フィニッシャ部２０９には、サンプルトレイ１１０１とスタックトレイ１１０２ががあり、ジョブの種類や排出されるシートの枚数に応じて切り替えて排出される。
【００６４】
ソート方式には２通りあり、複数のビンを有して各ビンに振り分けるビンソート方式と、後述の電子ソート機能とビン（またはトレイ）を奥／手前方向にシフトしてジョブ毎に出力シートを振り分けるシフトソート方式によりソーティングを行うことができる。
【００６５】
電子ソート機能は、コレートと呼ばれ、前述のコア部で説明した大容量メモリを持っていれば、このバッファメモリを利用して、バッファリングしたページ順と排出順を変更する、いわゆるコレート機能を用いることで電子ソーティングの機能もサポートできる。次にグループ機能は、ソーティングがジョブ毎に振り分けるのに対し、ページ毎に仕分けする機能である。
【００６６】
更に、スタックトレイ１１０２に排出する場合には、シートが排出される前のシートをジョブ毎に蓄えておき、排出する直前にステープラ１１０５にてバインドすることも可能である。
【００６７】
このほか、上記２つのトレイに至るまでに、紙をＺ字状に折るためのＺ折り器１１０４、ファイル用の２つの（または３つ）の穴開けを行うパンチャ１１０６があり、ジョブの種類に応じてそれぞれの処理を行う。
【００６８】
更に、サドルステッチャ１１０７は、シートの中央部分を２ヶ所バインドした後に、シートの中央部分をローラにかませることによりシートを半折にし、週刊誌やパンフレットのようなブックレットを作成する処理を行う。サドルステッチャ１１０７で作成されたシートは、ブックレットトレイ１１０８に排出される。
【００６９】
そのほか、図には記載されていないが、製本のためのグルー（糊付け）によるバインドや、あるいはバインド後にバインド側と反対側の端面を揃えるためのカッティングなどを加えることも可能である。
【００７０】
また、インサータ１１０３はトレイ１１１０にセットされたシートをプリンタを通さずにトレイ１１０１、１１０２、１１０８のいずれかに送るためのものである。これによってフィニッシャ部２０９に送り込まれるシートとシートの間にインサータ１１０３にセットされたシートをインサート（中差し）することができる。インサータ１１０３のトレイ１１１０にはユーザによりフェイスアップの状態でセットされるものとし、ピックアップローラ１１１１により最上部のシートから順に給送する。
【００７１】
従って、インサータ１１０３からのシートはそのままトレイ１１０１、１１０２へ排出することによりフェイスダウン状態で排出される。サドルステッチャ１１０７へ送るときには、一度パンチャ１１０６側へ送り込んだ後スイッチバックさせて送り込むことによりフェースの向きを合わせる。
【００７２】
〔ネットワークユーティリティソフトウェアの説明〕
コンピュータ１０２、１０３上にて動作するユーユーティリティソフトウェアについて説明する。ＭＦＰ１０４、ＬＢＰ１０５内のネットワークインターフェース部分（ＮＩＣ部２０４＋ＰＤＬ部２０５）にはＭＩＢ（Ｍａｎａｇｅｍｅｎｔ  Ｉｎｆｏｒｍａｔｉｏｎ  Ｂａｓｅ）と呼ばれる標準化されたデータベースが構築されており、ＳＮＭＰ（Ｓｉｍｐｌｅ  Ｎｅｔｗｏｒｋ  Ｍａｎａｇｅｍｅｎｔ  Ｐｒｏｔｏｃｏｌ）というネットワーク管理プロトコルを介してネットワーク上のコンピュータと通信し、ＭＦＰ１０４、ＬＢＰ１０５をはじめとして、ネットワーク上につながれたスキャナ、プリンタ、あるいはＦＡＸなどの管理が可能になっている。
【００７３】
一方、コンピュータ１０２、１０３上ではユーティリティと呼ばれるソフトウェアプログラムが動作しており、ネットワークを介して上記ＳＮＭＰの利用によりＭＩＢを使って必要な情報交換が可能となる。
【００７４】
例えば、ＭＦＰ１０４、ＬＢＰ１０５の装備情報を取得してフィニッシャ部２０９が接続されているか否かを探知したり、ステータス情報を取得して現在プリントができるか否かを探知したり、あるいはＭＦＰ１０４、ＬＢＰ１０５の名前や設置場所などを記入したり変更したり確認したりといった具合に、ＭＩＢを使うことによりユーザはネットワークに接続されたＭＦＰ１０４、ＬＢＰ１０５の情報をコンピュータ１０２、１０３上で確認することができる。また、これらの情報はサーバ１０２とクライアント１０３を区別してリードライトに制限を持たせることも可能である。
【００７５】
従って、この機能を使うことにより、ＭＦＰ１０４、ＬＢＰ１０５の装備情報、装置の状態、ネットワークの設定、ジョブの経緯、使用状況の管理、制御などあらゆる情報をユーザはコンピュータ１０３、１０２の前で入手することが可能となる。
【００７６】
〔ＬＢＰ１０５の構成〕
次に、図１２を用いてＬＢＰ１０５の構成について説明する。
【００７７】
図１２は、図１に示したＬＢＰ１０５の構成を説明する概略断面図であり、１ドラムタイプカラープリンタ部に対応する。
【００７８】
なお、ＬＢＰ１０５は、ネットワークを利用して画像データや装置情報をやり取りするＮＩＣ（Ｎｅｔｗｏｒｋ  Ｉｎｔｅｒｆａｃｅ  Ｃａｒｄ：ネットワークインターフェイスカード）部２０４、コンピュータ１０３から送られてきたページ記述言語（ＰＤＬ）を画像信号に展開するＰＤＬ部２０５を有する。また、ＮＩＣ部、ＰＤＬ部、ＰＷＭ部の構成はＭＦＰ１０４と同様である。
【００７９】
図１２において、９１３はポリゴンミラーであり、半導体レーザ８０５より発光された１本のレーザ光を受け、ミラー９１４をへて感光ドラム９１７を走査して、感光体上に潜像を形成する。感光体上の潜像は反時計回りに回転しながら、色現像器９６１や黒現像器９６０に到達する。各現像器９６１、９６０は感光体９１７上に潜像として帯電された電荷に応じてトナーをのせる（現像させる）働きをする。
【００８０】
画像が白黒の時は、黒現像器９６０のみが使用され、カラーの時は、両方の現像器９６０、９６１が使用される。次に、感光体９１７に生成された画像は、時計回りに回転している中間転写体９６２に転写される。この中間転写体は、白黒の場合は１回転、カラーの場合は４回転して画像生成を中間転写体上に完了する。
【００８１】
色現像器９６１は回転することでイエロー現像器９６１ｙ、マゼンタ現像器９６１ｍ、シアン現像器９６１ｃのいずれかを感光ドラム９１７に接するように制御される。まず、イエロートナーを現像・転写するときは色現像器が図１０に示す位置にくるまで回転し、感光ドラム９１７にレーザ露光が行われると同期してドラムが時計方向へ回転し、イエロー現像器９６１ｙによって感光ドラム９１７上にイエローのトナー画像が形成される。
【００８２】
これと同期して転写ドラム９６２が半時計回りへ回転し、感光ドラム９１７からイエロートナーが転写される。転写ドラム９６２の周囲の長さはＡ３サイズ画像が長手方向に形成できるものである。Ａ３サイズの画像形成を行う場合は、Ａ３サイズの原稿を読み取って、その画像信号によって、Ａ３サイズ画像１面分のイエロートナー画像が転写ドラム９６２上に形成される。
【００８３】
次に、マゼンタトナーを現像・転写するときは色現像器が半時計方向へ１２０度回転した後、前記と同様に原稿を読み取って、その画像信号によって、感光ドラム９１７にレーザ露光が行われると同期してドラムが時計方向へ回転し、マゼンタの現像器９６１ｍによって感光ドラム９１７上にマゼンタのトナー画像が形成される。これと同期して転写ドラム９６２が半時計回りへ回転し、感光ドラム９１７からマゼンタトナーが転写される。
【００８４】
次に、同様にシアントナー画像が転写される。次にブラックトナー画像が現像器９６０によって感光ドラム９１７に形成され、同様に転写される。
【００８５】
このように１ドラム形式のフルカラープリンタは４回の現像による画像形成動作が必要となっている。
【００８６】
一方で、上段カセット９７０、あるいは下段カセット９７１からピックアップローラ９７２あるいはピックアップローラ９７３で給紙された記録紙が、給紙ローラ９７４あるいは給紙ローラ９７５に従って搬送され、搬送ローラ９７６で更にレジ前まで搬送されていく。
【００８７】
そして、前述した中間転写体９１７への画像形成が終了するタイミングで中間転写体と転写ベルト９７８の間にくるようなタイミングに制御されている。ここに記録紙が到達したところで、転写ベルト９７８が中間転写体９１２に接して、トナーが記録紙に転写される。記録紙に転写された画像は、定着ローラ９７９で、熱と加圧により記録紙に定着される。
【００８８】
画像が定着された記録紙は、プリンタコントローラによりあらかじめ指定されていたフェイスアップ排紙口９８０かフェイスダウン排紙口９８１のいずれかに搬送され、排紙される。以上で、プリンタコントローラから送られてきた画像情報を出力することができる。
【００８９】
次に、ＭＦＰ１０４ａを用いて、ある原稿をコピーする場合について説明する。
【００９０】
図１３は、本発明に係る画像処理装置における第１のデータ処理手順の一例を示すフローチャートであり、ＭＦＰ１０４ａのコア部２０６により実行されるコピー処理手順に対応する。なお、（１３０１）〜（１３０６）は各ステップを示す。
【００９１】
まず、ステップ（１３０１）で、ＭＦＰ１０４ａの画像読取部で原稿の読取動作を行う。このとき、ステップ（１３０２）で、ＭＦＰ１０４ａのプリンタ部が使用可能状態であるかどうかを判断して、プリンタ部が使用可能状態であると判断した場合は、ステップ（１３０３）で、ＭＦＰ１０４ａのプリンタ部によりコピー出力を得ることになる。このときの画像データの流れ方は上記で説明したとおりである。
【００９２】
一方、ステップ（１３０２）で、コピージョブを行おうとしたとき、ＭＦＰ１０４ａのプリンタ部が、ネットワーク上のクライアントからの印刷要求により印刷ジョブ中であると判断された場合、ＭＦＰ１０４ａのプリンタ部からは即座にコピー出力を得ることができない。
【００９３】
そこで、ステップ（１３０４）で、ＭＦＰ１０４ａの操作パネルに、コピー画像を出力可能なＭＦＰあるいはプリンタの一覧（図示しない）が表示される。
【００９４】
そして、ステップ（１３０５）で、使用者はこの中から希望のデバイスを選択してコピー画像の出力先を指示し、ステップ（１３０６）で、該指示に従って、コア部２０６は、読み取った画像データ（印刷データ）を指示されたプリンタ部へ送信して、処理を終了する。
【００９５】
これにより、コピー動作を中断することなく、外部のＭＦＰ或いはプリンタを有効利用することができる。さらに、ＭＦＰ或いはプリンタの一覧を表示することにより、ユーザは所望のＭＦＰ或いはプリンタを選択することができる。そのため、できるだけ近くに設置されているＭＦＰ或いはプリンタを選択したり、できるだけ同じ出力結果が得られるようにＭＦＰ１０４ａと同機種のＭＦＰ或いはプリンタを選択したりすることができる。
【００９６】
なお、ＭＦＰ或いはプリンタの一覧では、製品名、備えている機能、タイプ、設置場所や外観を示すような画像などの付加的な情報を同時に表示してもよい。また、一覧の代わりに、オフィスのレイアウトを示した画像上にＭＦＰ或いはプリンタを示す画像を表示して、それぞれのＭＦＰ或いはプリンタがどこにあるかを分かるように表示してもよい。こうすることにより、ユーザはより適切なＭＦＰ或いはプリンタを選択しやすくなる。
【００９７】
〔第２実施形態〕
上記第１実施形態では、コピーのためのプリンタであるＭＦＰ１０４ａのプリンタ部が、ネットワーク上のクライアントからの印刷要求により印刷ジョブ中である場合、出力可能な出力デバイスをユーザが適宜選択可能とする場合について説明したが、ステップ（１３０２）でネットワーク上のクライアントからの印刷要求により印刷ジョブ中であると判断された場合に、ＭＦＰあるいはプリンタが自動選択され、選択されたデバイスの情報を操作パネルに表示するように制御してもよい。以下、その実施形態について説明する。
【００９８】
図１４は、本発明に係る画像処理装置における第２のデータ処理手順の一例を示すフローチャートであり、ＭＦＰ１０４ａのコア部２０６により実行されるコピー処理手順に対応する。なお、（１４０１）〜（１４０６）は各ステップを示す。
【００９９】
まず、ステップ（１４０１）で、ＭＦＰ１０４ａの画像読取部で原稿の読取動作を行う。このとき、ステップ（１４０２）で、ＭＦＰ１０４ａのプリンタ部が使用可能状態であるかどうかを判断して、プリンタ部が使用可能状態であると判断した場合は、ステップ（１４０３）で、ＭＦＰ１０４ａのプリンタ部によりコピー出力を得ることになる。このときの画像データの流れ方は上記で説明したとおりである。
【０１００】
一方、ステップ（１４０２）で、コピージョブを行おうとしたとき、ＭＦＰ１０４ａのプリンタ部が、ネットワーク上のクライアントからの印刷要求により印刷ジョブ中であると判断された場合、ＭＦＰ１０４ａのプリンタ部からは即座にコピー出力を得ることができない。
【０１０１】
そこで、ステップ（１４０４）で、コア部２０６は、ネットワーク上で該画像データを印刷可能なプリンタを自動選択する。
【０１０２】
そして、ステップ（１４０５）で、自動選択されたプリンタ先に画像データを送信して、ステップ（１４０６）で、ステップ（１４０６）で自動選択されたプリンタの情報を操作部に表示して、処理を終了する。
【０１０３】
これにより、ユーザは、コピージョブ実行中に、何ら操作負担を伴うことなく、代替出力候補を自動選択して、その出力先をユーザに明示することができる。
【０１０４】
〔第３実施形態〕
上記第１実施形態では、コピーのためのプリンタであるＭＦＰ１０４ａのプリンタ部が、ネットワーク上のクライアントからの印刷要求により印刷ジョブ中である場合、出力可能な出力デバイスをユーザが適宜選択可能とする場合について説明したが、ステップ（１３０２）でネットワーク上のクライアントからの印刷要求により印刷ジョブ中であると判断された場合に、その印刷ジョブの実行を一時中断して保留できるように制御してもよい。以下、その実施形態について説明する。
【０１０５】
図１５は、本発明に係る画像処理装置における第３のデータ処理手順の一例を示すフローチャートであり、ＭＦＰ１０４ａのコア部２０６により実行されるコピー処理手順に対応する。なお、（１５０１）〜（１５０６）は各ステップを示す。
【０１０６】
まず、ステップ（１５０１）で、ＭＦＰ１０４ａの画像読取部で原稿の読取動作を行う。このとき、ステップ（１５０２）で、ＭＦＰ１０４ａのプリンタ部が使用可能状態であるかどうかを判断して、プリンタ部が使用可能状態であると判断した場合は、ステップ（１５０３）で、ＭＦＰ１０４ａのプリンタ部によりコピー出力を得ることになる。このときの画像データの流れ方は上記で説明したとおりである。
【０１０７】
一方、ステップ（１５０２）で、コピージョブを行おうとしたとき、ＭＦＰ１０４ａのプリンタ部が、ネットワーク上のクライアントからの印刷要求により印刷ジョブ中であると判断された場合、ＭＦＰ１０４ａのプリンタ部からは即座にコピー出力を得ることができない。
【０１０８】
そこで、ステップ（１５０４）で、コア部２０６は、ネットワーク上のクライアントからの印刷要求により印刷ジョブ中である場合、プリント出力を行わず、保留する。
【０１０９】
そして、ステップ（１５０５）で、保留した印刷ジョブのジョブ番号を操作パネルに表示して、処理を終了する。
【０１１０】
なお、使用者が希望するときに、該当するジョブ番号を用いて所定の操作で保留していた印刷ジョブをプリンタに出力してコピー出力を行う。
【０１１１】
さらに、コピー画像を出力後に、それまで保持されていた画像データを消去するかしないかの選択を可能とする。
【０１１２】
図１６は、本発明に係る画像処理装置における第４のデータ処理手順の一例を示すフローチャートであり、ＭＦＰ１０４ａのコア部２０６により実行されるコピー処理手順に対応する。なお、（１６０１）〜（１６０８）は各ステップを示す。
【０１１３】
まず、ＭＦＰ１０４ａのコア部２０６は、図１５に示したステップ（１５０４）で印刷ジョブを保留した場合に、使用者が希望するときに、プリント指示がなされると、ステップ（１６０１）で、プリンタ部が使用可能かどうかを判断して、プリンタ部が使用可能であると判断した場合は、操作部に保留した印刷ジョブの一覧を表示した上で、ステップ（１６０２）で、ユーザが印刷する印刷ジョブを指示し、ステップ（１６０３）で、指示された印刷ジョブを自機のプリンタ部に送信する。
【０１１４】
そして、ステップ（１６０４）で、コア部２０６は、保留している印刷ジョブを消去する指示が操作部を介してなされているかどうかを判断して、消去する指示が操作部を介してなされていないと判断した場合は、処理を終了する。
【０１１５】
一方、ステップ（１６０４）で、消去する指示が操作部を介してなされていると判断した場合は、ステップ（１６０５）で、指示された印刷ジョブを削除して、処理を終了する。
【０１１６】
一方、ステップ（１６０１）で、自機のプリンタが使用可能でないと判断した場合は、ステップ（１６０６）で、ＭＦＰ１０４ａの操作パネルに、コピー画像を出力可能なＭＦＰあるいはプリンタの一覧（図示しない）が表示される。
【０１１７】
そして、ステップ（１６０７）で、使用者はこの中から希望のデバイスを選択してコピー画像の出力先を指示し、ステップ（１６０８）で、該指示に従って、コア部２０６は、読み取った画像データ（印刷データ）を指示されたプリンタ部へ送信して、ステップ（１６０４）へ進む。
【０１１８】
これにより、コピージョブ実行時に、自機のプリンタ部が使用中である場合に一旦保留した印刷ジョブをユーザの操作指示で、自機のプリンタ部から、あるいはユーザが選択したネットワーク上のプリンタから印刷出力させることができる。
【０１１９】
上記実施形態によれば、ネットワークに接続された多機能機を使用してコピー作業を行う場合、ネットワーク上の他のクライアントからの印刷ジョブに妨害されること無くコピー作業を行うことが可能となる。
【０１２０】
また、コピー出力を得ようとするときに、希望のプリンタが他のジョブを印刷中であるとき、他のジョブとコピージョブが入り混じってしまう場合がある。この問題に対してコピージョブを実行する時間を意図的にずらすことがきるようになるために、ジョブの混在を防止することができる。
【０１２１】
以下、図１７に示すメモリマップを参照して本発明に係る画像処理装置で読み出し可能なデータ処理プログラムの構成について説明する。
【０１２２】
図１７は、本発明に係る画像処理装置で読み出し可能な各種データ処理プログラムを格納する記憶媒体のメモリマップを説明する図である。
【０１２３】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１２４】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１２５】
本実施形態における図１３〜図１６に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１２６】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１２７】
この場合、記憶媒体から読み出されたプログラムコード自体が本発明の新規な機能を実現することになり、そのプログラムコードを記憶した記憶媒体は本発明を構成することになる。
【０１２８】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１２９】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１３０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１３１】
本発明は上記実施形態に限定されるものではなく、本発明の趣旨に基づき種々の変形（各実施形態の有機的な組み合わせを含む）が可能であり、それらを本発明の範囲から排除するものではない。
【０１３２】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜８について説明する。
【０１３３】
〔実施態様１〕
原稿画像を読み取るリーダ部（図２に示すスキャナ部２０１に相当）と、前記リーダ部により読み取られた画像データを印刷するプリンタ部（図２に示すプリンタ部２０８に相当）とを備え、ネットワークを介してプリント機能処理を実行可能な複数の外部画像処理装置と通信可能な画像処理装置であって、前記リーダ部により読み取られた画像データを前記プリンタ部で印刷するコピー機能処理要求時に、前記プリンタ部が使用可能かどうかを判断する判断手段と、前記判断手段により前記プリンタ部が使用可能でないと判断した場合に、代替プリント可能な外部画像処理装置候補を選択する選択手段（図２に示すコア部２０６に相当）と、前記選択手段により選択された外部画像処理装置候補に対して、前記前記リーダ部により読み取られた画像データを送信する制御手段とを有することを特徴とする画像処理装置。
【０１３４】
〔実施態様２〕
代替プリント可能な外部画像処理装置候補を表示する表示手段（図２に示すディスプレイ部２１０に相当）を有することを特徴とする実施態様１記載の画像処理装置。
【０１３５】
〔実施態様３〕
前記選択手段は、代替プリント可能な外部画像処理装置候補を自動選択することを特徴とする実施態様１記載の画像処理装置。
【０１３６】
〔実施態様４〕
前記選択手段は、前記表示手段に一覧表示される代替プリント可能な外部画像処理装置候補中より、代替プリント可能な外部画像処理装置を選択することを特徴とする実施態様１記載の画像処理装置。
【０１３７】
〔実施態様５〕
前記選択手段により自動選択された出力先を所定のアドレスへメールで通知する通知手段（図２に示すコア部２０６に相当）を有することを特徴とする実施態様１記載の画像処理装置。
【０１３８】
〔実施態様６〕
前記制御手段は、前記選択手段により選択された代替プリント可能な外部画像処理装置のプリンタ部が他のジョブの実行状態を判定して、前記画像データの転送開始または前記画像データの転送保留を決定することを特徴とする実施態様１記載の画像処理装置。
【０１３９】
〔実施態様７〕
前記制御手段は、プリンタジョブとコピージョブの印刷物が同一トレイに出力される場合、プリントジョブとコピージョブの間に間紙を挿入するように排紙制御を行うことを特徴とする実施態様１記載の画像処理装置。
【０１４０】
〔実施態様８〕
前記表示手段は、代替プリント可能な外部画像処理装置候補をブラウザを介して表示することを特徴とする実施態様１記載の画像処理装置。
【０１４１】
【発明の効果】
以上説明したように、本発明によれば、原稿画像を読み取るリーダ部と、前記リーダ部により読み取られた画像データを印刷するプリンタ部とを備え、ネットワークを介してプリント機能処理を実行可能な複数の外部画像処理装置と通信可能な画像処理装置において、前記リーダ部により読み取られた画像データを前記プリンタ部で印刷するコピー機能処理要求時に、前記プリンタ部が使用可能でないと判断した場合に、代替プリント可能な外部画像処理装置候補を選択し、該選択された外部画像処理装置候補に対して、前記リーダ部により読み取られた画像データを送信することにより、自機のプリンタ部が他のジョブ処理により占有されていても、ユーザが意図するネットワーク上のプリンタ部を利用して、あるいは、即座に出力可能なネットワーク上のプリンタ部を利用してコピー機能処理を実現できる利便性に優れた画像処理環境を自在に整備することができる。
【０１４２】
また、ネットワークに接続された多機能機を使用してコピー作業を行う場合、ネットワーク上の他のクライアントからの印刷ジョブに妨害されること無くコピー作業を行うことが可能となる。
【０１４３】
さらに、コピー出力を得ようとするときに、希望のプリンタが他のジョブを印刷中であるとき、他のジョブとコピージョブが入り混じってしまう場合がある。この問題に対してコピージョブを実行する時間を意図的にずらすことがきるようになるために、ジョブの混在を防止することができる。
【図面の簡単な説明】
【図１】本発明の第１実施形態を示す画像処理装置を適用可能な画像処理システムの構成を説明する図である。
【図２】図１に示したＭＦＰの画像処理構成を説明するブロック図である。
【図３】図２に示したスキャナ部の構成を説明する概略断面図である。
【図４】図２に示したＩＰ部（画像処理部）のデータ処理構成を説明するブロック図である。
【図５】図２に示したＮＩＣ部の詳細構成を説明するブロック図である。
【図６】図２に示したコア部の詳細構成を説明するブロック図である。
【図７】図２に示したＰＷＭ部の詳細構成を説明する図である。
【図８】図１に示したＭＰＦの構成を説明する断面図である。
【図９】図１に示したＭＦＰのプリンタ部のデータ処理機構を説明するブロック図である。
【図１０】図２に示したディスプレイ部のデータ表示制御機構を説明する図である。
【図１１】図２に示したフィニッシャ部の構成を説明する概観図である。
【図１２】図１に示したＬＢＰの構成を説明する概略断面図である。
【図１３】本発明に係る画像処理装置における第１のデータ処理手順の一例を示すフローチャートである。
【図１４】本発明に係る画像処理装置における第２のデータ処理手順の一例を示すフローチャートである。
【図１５】本発明に係る画像処理装置における第３のデータ処理手順の一例を示すフローチャートである。
【図１６】本発明に係る画像処理装置における第４のデータ処理手順の一例を示すフローチャートである。
【図１７】本発明に係る画像処理装置で読み出し可能な各種データ処理プログラムを格納する記憶媒体のメモリマップを説明する図である。
【符号の説明】
２０１  スキャナ部
２０２  ＩＰ部
２０３  ＦＡＸ部
２０４  ＮＩＣ部
２０５  ＰＤＬ部
２０６  コア部
２０７  ＰＷＭ部
２０８  プリンタ部
２０９  フィニッシャ部
２１０  ディスプレイ部
【図１】
2004159162.tif 000003
【図２】
2004159162.tif 000004
【図３】
2004159162.tif 000005
【図４】
2004159162.tif 000006
【図５】
2004159162.tif 000007
【図６】
2004159162.tif 000008
【図７】
2004159162.tif 000009
【図８】
2004159162.tif 000010
【図９】
2004159162.tif 000011
【図１０】
2004159162.tif 000012
【図１１】
2004159162.tif 000013
【図１２】
2004159162.tif 000014
【図１３】
2004159162.tif 000015
【図１４】
2004159162.tif 000016
【図１５】
2004159162.tif 000017
【図１６】
2004159162.tif 000018
【図１７】
2004159162.tif 000019